(57)【要約】      （修正有）【課題】微風状態においても効率的な発電が可能な風力発電システムを提供する。【解決手段】固定支柱１２と、固定支柱の上端に回転するように取り付けられた回転支柱１４と、回転支柱の上端に取り付けられた本体と、本体から水平方向に延びた回転軸１６ａに取り付けられた複数枚のブレード１８と、回転支柱に取り付けられた発電機２４とを備えたシステムにおいて、隣接するブレードの先端同士を円弧状に連結し、全体として円形形状を有するリング状部材２０と、リング状部材の外周から発電機の回転軸に延びるように掛け渡された伝動手段２２とをさらに備え、ブレードの回転が伝動手段を介して発電機の回転軸に伝達されるように構成されている。【選択図】図２
0003187049.tif 000002
【実用新案登録請求の範囲】
【請求項１】
下端が基礎に堅固に固定され、垂直方向に延びた固定支柱と、前記固定支柱の上端に、長さ方向軸線を中心として回転するように取り付けられた回転支柱と、前記回転支柱の上端に取り付けられた本体と、前記本体から水平方向に延びた回転軸に取り付けられた複数枚のブレードと、前記回転支柱に取り付けられた発電機とを備えた風力発電システムにおいて、
隣接する前記ブレードの先端同士を円弧状に連結し、全体として円形形状を有するリング状部材と、  前記リング状部材の外周から前記発電機の回転軸に延びるように掛け渡された伝動手段とをさらに備え、  前記ブレードの回転が前記伝動手段を介して前記発電機の回転軸に伝達されるように構成されていることを特徴とする風力発電システム。
【請求項２】
前記発電機の取り付け高さを微調整できるように構成されていることを特徴とする請求項１に記載された風力発電システム。
【考案の詳細な説明】
【技術分野】
【０００１】
本考案は一般に、風力発電システムに関する。より詳細には、本考案は、微風状態においても効率的な発電が可能な風力発電システムに関する。
【背景技術】
【０００２】
風力発電システムは、専ら自然エネルギーである風力を利用する発電方式であるため、二酸化炭素の排出もなく、大規模な環境破壊のおそれもない、いわゆるクリーンな発電方式として、現在でも利用されており、将来的にも利用の増大が期待されている。
【考案の概要】
【考案が解決しようとする課題】
【０００３】
しかしながら、従来の風力発電設備では、微風状態では十分な発電を行うことができず、所定風速以上の風力が継続している場合にのみ発電が実質的に可能であるという課題があった。
【０００４】
本考案は、このような状況に鑑みて開発されたものであって、微風状態においても効率的な発電が可能な風力発電システムを提供することを目的としている。
【課題を解決するための手段】
【０００５】
本願請求項１に記載の、下端が基礎に堅固に固定され、垂直方向に延びた固定支柱と、前記固定支柱の上端に、長さ方向軸線を中心として回転するように取り付けられた回転支柱と、前記回転支柱の上端に取り付けられた本体と、前記本体から水平方向に延びた回転軸に取り付けられた複数枚のブレードと、前記回転支柱に取り付けられた発電機とを備えた風力発電システムは、隣接する前記ブレードの先端同士を円弧状に連結し、全体として円形形状を有するリング状部材と、前記リング状部材の外周から前記発電機の回転軸に延びるように掛け渡された伝動手段とをさらに備え、前記ブレードの回転が前記伝動手段を介して前記発電機の回転軸に伝達されるように構成されていることを特徴とするものである。
【０００６】
本願請求項２に記載の風力発電システムは、前記請求項１のシステムにおいて、前記発電機の取り付け高さを微調整できるように構成されていることを特徴とするものである。
【考案の効果】
【０００７】
本考案の風力発電システムでは、発電機の回転軸の直径と比較してリング状部材の直径が非常に大きく、リング状部材が１回転した場合に発電機の回転軸が多数回転するので、微風状態であっても効率的に発電することができる。また、本考案の風力発電システムでは、発電機の取り付け高さを微調整できるので、伝動手段の展張度を所望のように調節し、リング状部材の回転を確実に発電機の回転軸に伝達することができる。
【０００８】
本考案の風力発電システムは、一般的な風力発電の分野においてのみならず、扇風機、換気扇、観覧車等においても応用することができる。
【図面の簡単な説明】
【０００９】
【図１】本考案の好ましい実施の形態に係る風力発電システムの全体を示した側面図である。
【図２】図１の線２−２に沿って見た図であって、図１の風力発電システムを示した正面図である。
【図３】図１の部分３の拡大図である。
【考案を実施するための形態】
【００１０】
次に図面を参照して、本考案の好ましい実施の形態に係る風力発電システムについて詳細に説明する。図１は、本考案の好ましい実施の形態に係る風力発電システムの全体を示した側面図である。図１において全体として参照符号１０で示される本考案の好ましい実施の形態に係る風力発電システムは、下端が基礎（図示せず）にアンカーボルト等（図示せず）で堅固に固定され、垂直方向に延びた固定支柱１２と、固定支柱１２の上端に、長さ方向軸線を中心として回転するように取り付けられた回転支柱１４とを備えている。
【００１１】
固定支柱１２および回転支柱１４は、鋼管材を使用するのが好ましいが、回転支柱１４を回転可能に構成することができるものであれば、これに限定するものではない。また、図３に最も良く示されるように、固定支柱１２の上端に縮径上端部１２ｃを設け、縮径上端部１２ｃに回転支柱１４の下端を差し込むことによって、回転支柱１４が回転可能になるように構成されているが、縮径上端部１２ｃに例えばローラベアリング（図示せず）を装着することによって、回転支柱１４がより円滑に回転するように構成してもよい。
【００１２】
風力発電システム１０はまた、回転支柱１４の上端に取り付けられた本体１６と、本体１６から水平方向に延びた回転軸１６ａに１２０°の角度を隔てて取り付けられた３枚のブレード１８とを備えている。
【００１３】
風力発電システム１０はまた、図２に示されるように、隣接するブレード１８の先端同士を円弧状に連結し、全体として円形形状を有するリング状部材２０を備えている。
【００１４】
風力発電システム１０はさらに、回転支柱１４の下端に設けられた発電機取り付け部２６に配置された発電機２４と、リング状部材２０の外周から発電機２４の回転軸２４ａに延びるように掛け渡された伝動手段２２とを備えている。伝動手段２４としては、例えば、伝動ベルトやチェーンが使用される。好ましくは、リング状部材２０の外周には、掛け渡される伝動ベルト等が外れにくいように、溝（図示せず）を設けてもよい。リング状部材２０は、一種のプーリとしての役目を果たす。
【００１５】
図示されている例では、伝動手段２４が発電機２４の回転軸２４ａに直接掛け渡されているが、伝動手段２４からの回転力を変速器（図示せず）を介して発電機２４の回転軸２４ａに伝達するようにしてもよい。
【００１６】
図３は、発電機２４の取り付け状態を示した図である。発電機２４は、回転支柱１４から片持ち梁状に水平方向に延びた発電機取り付け用ブラケット２６上に設けられた発電機取り付け部２６ａに装着された取り付け金具２６ｂの孔２６ｂ１にボルト２６ｃをねじ込むことによって固定されている。なお、図示されるように孔２６ｂ１を垂直方向に延びた長孔にすることによって、発電機２４の取り付け高さを調整することができ、これにより、伝動手段（伝動ベルト）２２の展張の度合いを調節することができる。
【００１７】
必要に応じて、風力発電システム１０に、蓄電池、整流器、分電器（いずれも図示せず）を設置してもよい。
【００１８】
次に主として図２を参照して、風力発電システム１０の使用について説明する。風が吹くと、ブレード１８は、その風を受けて、本体１６の回転軸１６ａを中心として回転する（図２の矢印参照）。回転支柱１４は、ブレード１８が風を受けやすい方向に回転するので、ブレード１８は効果的に風を受けることができる。ブレード１８が回転すると、その先端に位置するリング状部材２０も回転し、それに伴い、リング状部材２０の外周に掛け渡された伝動手段２２も矢印で図示されるように移動し、発電機２４の回転軸２４ａに伝達され、発電が行われる。その際、回転軸２４ａの直径と比較してリング状部材２０の直径が非常に大きく、リング状部材２０が１回転した場合に発電機２４の回転軸２４ａが多数回転するので、微風状態であっても、効率的に発電することができる。
【００１９】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２０】
例えば、前記実施の形態では、ブレード１８の設置基数は３基であるが、この基数に限定されるものではない。また、本体１６や固定支柱１２、回転支柱１４、ブレード１８の形状、リング状部材２０の幅ｗ等も、単なる例示的なものにすぎず、図示された形状に限定されるものではない。
【符号の説明】
【００２１】
１０  風力発電システム
１２  固定支柱
１２ａ  ベースプレート
１２ｂ  リブプレート
１２ｃ  縮径上端部
１４  回転支柱
１６  本体
１６ａ  回転軸
１８  ブレード
２０  リング状部材
２２  伝動手段
２４  発電機
２４ａ  回転軸
２６  発電機取り付け用ブラケット
２６ａ
２６ｂ  取り付け金具
２６ｂ１  長孔
【図１】
0003187049.tif 000003
【図２】
0003187049.tif 000004
【図３】
0003187049.tif 000005